(57)【要約】【課題】  親展受信時の印刷記録媒体の選択の便宜性と親展受信文書の機密を高め不正防止出力を防止する事を目的とする。【解決手段】  親展受信の有無により、親展受信時は、無線ＩＣチップ付記録媒体を自動選択し、親展受信で無い場合は、無線ＩＣチップ付記録媒体を自動選択する構成である。また、親展受信を取り出すには、暗証番号と無線ＩＣチップの２重の照合で、親展受信を取り出す構成である。【選択図】        図１
2006187986.tif 000002
【特許請求の範囲】
【請求項１】
記録媒体に対して記録を行う記録装置において、無線ＩＤチップとアンテナを含む無線通信素子と通信する為の通信アンテナを、前記記録装置に具備し、前記通信アンテナを介して前記無線ＩＤチップに情報を書き込む書き込み手段を備えたことを特徴とする記録装置。
【請求項２】
請求項１に記載の記録装置において、前記記録媒体の搬送途中に前記書き込み手段による無線ＩＤチップへの書き込みを行うことを特徴とする記録装置。
【請求項３】
請求項１に記載の記録装置において、前記記録媒体の搬送途中を除く期間に前記書き込み手段による無線ＩＤチップへの書き込みを行うことを特徴とする記録装置。
【請求項４】
請求項１に記載の記録装置において、前記記録媒体の格納場所が、単数または、複数を具備していることを特徴とする記録装置。
【請求項５】
請求項４に記載の記録装置において、前記記録装置に前記記録媒体への書き込み情報を一時的に蓄積メモリを具備し、前記４との組み合わせも兼ね備えていることを特徴とする記録装置。
【請求項６】
請求項１に記載の記録装置において、親展受信であることを検出し、その暗証番号を記録するとともに、以後受信した親展受信データを前記記録装置内のメモリに蓄積し、親展受信した旨を表示部および記録媒体の媒体表面へ記録し、操作部から暗証番号を入力したときに前記記録媒体に記録することを特徴とする記録装置。
【請求項７】
請求項１に記載の記録装置において、親展受信の場合、送信先の特定情報と親展宛先の特定情報を、無線ＩＤチップ付記録媒体のチップに書き込み、同時に記録媒体の媒体表面には、親展受信した旨の表示及び親展宛先と受信日時を親展受信通知レポート印刷情報として記録することを特徴とする記録装置。
【請求項８】
請求項１に記載の記録装置において、親展受信印刷は、前記無線ＩＤチップ付記録媒体の認証と操作部から暗証番号の両方が一致したときに前記記録媒体に親展受信情報を印刷し、正常に印刷した場合は、メモリからデータを削除することを特徴とする記録装置。
【請求項９】
請求項８に記載の記録装置において、親展受信にもかかわらずセットされていない場合は、表示部への表示だけを行い、再度、無線ＩＤチップ付記録媒体がセットされた場合に、前記８が行えることを特徴とする記録装置。
【請求項１０】
請求項１に記載の記録装置において、親展受信の場合は、無線ＩＤチップ付記録媒体を選択し、親展受信でない場合は、無線ＩＤチップなし記録媒体を選択することを特徴とする記録装置。
【請求項１１】
親展受信の印刷において、暗証番号の不一致が所定回数を超えた場合は、不正印刷と判断し、送信元に通知することを特徴とする記録装置。
【発明の詳細な説明】
【技術分野】
【０００１】
本発明は、無線ＩＤチップとアンテナを備えた無線通信素子を内蔵する記録媒体に対して、無線ＩＤチップへのリードまたはライトと共に、記録媒体表面への記録動作が可能な記録装置に関するものである。
【背景技術】
【０００２】
本発明に近い先行技術の特許文献１では、親展受信を受信後取り出すためには、あらかじめ設定した暗証番号のみの照合で出力する方法であった。従って、前記従来例では、暗証番号のみの照合の一重管理のみなので機密性が十分とは、言えなかった。
【０００３】
また、暗証番号の変わりに専用カードによる照合により、親展文書する方式もあるが、専用カードのため、親展ＢＯＸの保有の増加に伴い、専用カードも増やさなくてはならず、専用カードを所持しなければならなかったという面倒さがあった。
【０００４】
また、従来技術では、親展受信した旨を親展受信通知レポートとして、記録媒体の表面への記載し、親展宛先に通知を行うが、親展送信先と送信元のＩＤを記載しているため、実際の親展内容を記載されていなくても、送信元ＩＤが記載されるため、第三者には、親展内容の推測を即し、機密性が十分ではなかった。
【０００５】
一方、記録媒体においては、親展情報の有無により記録媒体を、無線ＩＤチップ付記録媒体と無線ＩＤチップなしの記録媒体の選択を行うことができなかったため、一方のどちらか固定の記録媒体での印刷しかされていなかったため、親展受信で無い場合も、無線ＩＤチップ付記録媒体を使用するまたは、手動で入れ替えるため、無駄な動作と無駄な記録媒体を使用することになり便宜性と経済性が悪くなるおそれがあった。
【特許文献１】特開平５−１４３２５３号公報
【発明の開示】
【発明が解決しようとする課題】
【０００６】
そこで、本発明では、親展受信の有無に応じ、無線ＩＤチップ付記録媒体または無線ＩＤチップ無しの記録媒体を自動的に選択を行い、親展受信時の印刷には、暗証番号と無線ＩＤチップ付媒体の２重の照合により、特定人宛ての機密性の高い印刷を可能し、機密性と経済性を兼ね備えた記録装置を提供すること目的とする。
【課題を解決するための手段】
【０００７】
本発明の記録装置において、親展受信の場合は、無線ＩＤチップ付記録媒体にＩＤ情報をライトする第１の請求項にかかわる発明によれば、無線ＩＤチップとアンテナを含む無線通信素子と通信する為の通信アンテナを、前記記録装置に具備し、前記通信アンテナを介して前記無線ＩＤチップに情報を書き込む書き込み手段を備えた構成である。
【０００８】
第２の請求項にかかわる発明によれば、前記記録装置において記録媒体の搬送途中に前記書き込み手段による無線ＩＤチップへの書き込みを行う構成である。
【０００９】
第３の請求項にかかわる発明によれば、前記記録装置において記録媒体の搬送途中を除く期間に前記書き込み手段による無線ＩＤチップへの書き込みを行う構成である。
【００１０】
第４の請求項にかかわる発明によれば、前記記録装置に記録媒体の格納場所が、単数または、複数を具備する構成である。
【００１１】
第５の請求項にかかわる発明によれば、前記記録装置に記録媒体への書き込み情報を一時的に蓄積メモリを具備し、前記４との組み合わせも兼ね備えている構成である。
【００１２】
第６の請求項にかかわる発明によれば、前記記録装置において、親展受信であることを検出し、その暗証番号を記録するとともに、以後受信した親展受信データを前記記録装置内のメモリに蓄積し、親展受信した旨を表示部および記録媒体の媒体表面へ記録し、操作部から暗証番号を入力したときに前記記録媒体に記録する構成である。
【００１３】
第７の請求項にかかわる発明によれば、前記記録装置において、親展受信の場合、送信先の特定情報（例えば、ナンバーディスプレイ、略称等のＩＤ情報）と親展宛先の特定情報（例えば、ライン数、ページ数、容量）の情報を、無線ＩＤチップ付記録媒体のチップに書き込み、同時に記録媒体の媒体表面には、親展受信した旨の表示及び親展宛先と受信日時を親展受信通知レポートを印刷情報として記録する構成である。
【００１４】
第８の請求項にかかわる発明によれば、前記記録装置において、親展受信印刷は、前記無線ＩＤチップ付記録媒体の認証と操作部から暗証番号の両方が一致したときに前記記録媒体に親展受信情報を印刷し、正常に印刷した場合は、メモリからデータを削除する構成である。
【００１５】
第９の請求項にかかわる発明によれば、前記記録装置において、親展受信にもかかわらずセットされていない場合は、表示部への表示だけを行い、再度、無線ＩＤチップ付記録媒体がセットされた場合に、前記８を行う構成である。
【００１６】
第１０の請求項にかかわる発明によれば、前記記録装置において、親展受信の場合は、無線ＩＤチップ付記録媒体を選択し、親展受信でない場合は、無線ＩＤチップなし記録媒体を選択する構成である。
【００１７】
第１１の請求項にかかわる発明によれば、親展受信の印刷において、暗証番号の不一致が所定回数を超えた場合は、不正印刷と判断し、送信元に通知する構成である。
【００１８】
［作用］
本発明は前記技術手段を有するので、無線ＩＤチップのリードライト機能付画像記録装置において、親展受信の場合は、無線ＩＤチップ付記録媒体を選択することが可能になり、親展受信文書の印刷が、簡単かつ機密性の高い親展文書の印刷機能を可能する。
【００１９】
特に第１の請求項にかかわる発明によれば、無線ＩＤチップとアンテナを含む無線通信素子と通信する為の通信アンテナを、前記記録装置に具備し、前記通信アンテナを介して前記無線ＩＤチップに情報を書き込む書き込みが可能となった。
【００２０】
第２の請求項にかかわる発明によれば、前記記録装置において記録媒体の搬送途中に前記書き込み手段による無線ＩＤチップへの書き込みが可能となった。
【００２１】
第３の請求項にかかわる発明によれば、前記記録装置において記録媒体の搬送途中を除く期間に前記書き込み手段による無線ＩＤチップへの書き込みが可能となった。
【００２２】
第４の請求項にかかわる発明によれば、前記記録装置に記録媒体の格納場所を、単数または、複数を具備する構成が可能となった。
【００２３】
第５の請求項にかかわる発明によれば、前記記録装置に記録媒体への書き込み情報を一時的に蓄積メモリを具備することで、前記４との組み合わせも兼ね備える構成が可能となった。
【００２４】
第６の請求項にかかわる発明によれば、前記記録装置において、親展受信であることを検出し、その暗証番号を記録するとともに、以後受信した親展受信データを前記記録装置内のメモリに蓄積し、親展受信した旨を表示部および記録媒体の媒体表面へ記録し、操作部から暗証番号を入力したときに前記記録媒体に記録する構成が可能となった。
【００２５】
第７の請求項にかかわる発明によれば、前記記録装置において、親展受信の場合、送信先の特定情報（例えば、ナンバーディスプレイ、略称等のＩＤ情報）と親展宛先の特定情報（例えば、ライン数、ページ数、容量）の情報を、無線ＩＤチップ付記録媒体のチップに書き込む。同時に記録媒体の媒体表面には、親展受信した旨の表示及び親展宛先と受信日時を親展受信通知レポートを印刷情報として記録する構成が可能となった。
【００２６】
第８の請求項にかかわる発明によれば、前記記録装置において、親展受信印刷は、前記無線ＩＤチップ付記録媒体の認証と操作部から暗証番号の両方が一致したときに前記記録媒体に親展受信情報を印刷し、正常に印刷した場合は、メモリからデータを削除する構成が可能となった。
【００２７】
第９の請求項にかかわる発明によれば、前記記録装置において、親展受信にもかかわらずセットされていない場合は、表示部への表示だけを行い、再度、無線ＩＤチップ付記録媒体がセットされた場合に、前記８を行う構成が可能となった。
【００２８】
第１０の請求項にかかわる発明によれば、前記記録装置において、親展受信の場合は、無線ＩＤチップ付記録媒体を選択し、親展受信でない場合は、無線ＩＤチップなし記録媒体を選択する構成が可能となった。
【００２９】
第１１の請求項にかかわる発明によれば、親展受信の印刷において、暗証番号の不一致が所定回数を超えた場合は、不正印刷と判断し、送信元に通知する構成が可能となった。
【発明の効果】
【００３０】
本発明によれば、親展受信の有無に応じ、無線ＩＤチップ付記録媒体または無線ＩＤチップ無しの記録媒体を自動的に選択を行う。
【００３１】
また、親展受信した旨を通知する親展受信通知レポートの記録媒体表面には、一切、送信元情報を記載しないため、送信元情報の漏洩による第三者の不正出力を防止する。
【００３２】
更に親展受信時の印刷には、暗証番号と無線ＩＤチップ付媒体の２重の照合により、特定人宛ての機密性の高い印刷を可能し、機密性と経済性を兼ね備えた記録装置を提供することが可能となった。
【発明を実施するための最良の形態】
【００３３】
以下本発明を実施するための最良の形態を、実施例により詳しく説明する。
【実施例】
【００３４】
図１は、本発明の内部構成を示すブロック図である。
【００３５】
同図において、１０１は無線部であり、無線ＩＣチップ付記録媒体に親展受信正常終了後、無線ＩＣチップに送信先の特定情報（例えば、ナンバーディスプレイ、略称等のＩＤ情報）と親展宛先の特定情報（例えば、ライン数、ページ数、容量）の情報を、書き込む。
【００３６】
１０２は画像読取部であり、画像の読取を行う。１０３は、原稿検知センサであり、原稿がセットされたことを検知する。
【００３７】
１０４は、印刷記録部であり、記録媒体に印刷する。１０５は、表示部であり、待機状態および読取状態および記録状態等のステータスを表示する。
【００３８】
１０６は、制御部（ＣＰＵ）であり、各種制御や各種信号処理を行う。１０７は、通信部であり、外部とのインターフェースであり、データの送受信を行う。
【００３９】
１０８は、操作部であり、利用者が各種キー操作を行ったり、文字データおよび暗証番号等を入力する。１０９はＲＯＭであり、各種プログラムが記憶されている。
【００４０】
１１０は、ＲＡＭであり、ＲＯＭからの各種プログラムや記憶部（１１１）からのデータ等が転送記憶され、一部エリアがワーク用として確保されている。
【００４１】
１１１は、記憶部であり、画像データや発着信の過去の履歴データを記憶する。
【００４２】
１１２は、ネットワークであり、公衆網やＬＡＮが該当する。
【００４３】
次に、上記の構成において、図２は、本発明の一実施例による親展受信時の無線ＩＣチップへの書き込みイメージ平面図である。動作を順を追って説明する。
【００４４】
第一の実施例を説明すると、無線ＩＣチップ付記録媒体（２０３）を、あらかじめ記録媒体格納カセット（２０６）または（および）、記録媒体給紙トレー（２０４）にセットしておく。親展受信を検出すると送信先の特定情報（例えば、ナンバーディスプレイ、略称等のＩＤ情報）と親展宛先の特定情報（例えば、ライン数、ページ数、容量）の情報および画像データを記憶部に格納する。
【００４５】
親展受信が正常に終了した時点で、表示部および記録媒体表面へ受信日時と親展宛先と親展受信した旨を親展受信通知レポート（２０２）に印刷する。また、同時または、印字前あるいは印刷後に、無線ＩＣチップに前記送信先の特定情報（例えば、ナンバーディスプレイ、略称等のＩＤ情報）と親展宛先の特定情報（例えば、ライン数、ページ数、容量）の情報を書き込む。
【００４６】
２０２に、親展受信通知レポートの記載内容例を示す。
【００４７】
更に図３の受信時のフローチャートを用い説明する。
【００４８】
親展受信の有無を検出（Ｓ３０１）を設け、親展受信の場合は、無線ＩＤチップ付の記録媒体を選択（Ｓ３０３）する。
【００４９】
一方、親展受信でない場合は、無線ＩＤチップなしの記録媒体（Ｓ３０２）で印刷する。
【００５０】
親展受信の受信終了を検出（Ｓ３０４）を設け、受信終了をモニターし、受信が正常終了した場合のみ、次のステップに進む。もし、正常終了でない場合は、エラーレポート（Ｓ３０５）を出力し終了する。
【００５１】
受信が正常終了した場合は、無線ＩＤチップに前記親展受信情報を書き込む（Ｓ３０６）。前記無線ＩＤチップへの書き込みが正常に終了した時点で、表示部および記録媒体表面へ受信日時と親展宛先と親展受信した旨を親展受信通知レポート（Ｓ３０７）に印刷し終了する。
【００５２】
次に親展情報の取り出し方法について、図４の親展受信の取り出し時のイメージ平面図を用い説明する。
【００５３】
前記の親展ＩＤ情報が入った無線ＩＣチップ付記録媒体の親展受信通知レポート（２０３）を、画像読取部（１０２）に挿入すると、原稿検知センサ（１０３）が原稿を検知し、同時に無線部（１０１）で、無線ＩＣチップ（２０１）データの読み取りを行う。
【００５４】
詳細を図５の親展受信受信時の取り出し時のフローチャートを用い説明する。
【００５５】
前記の親展ＩＤ情報が入った無線ＩＣチップ付記録媒体（２０３）を、画像読取部（１０２）に挿入すると、原稿検知センサ（１０３）が原稿を検知し、同時に無線部（１０１）で、無線ＩＣチップ（２０１）を認識（Ｓ５０１）する。
【００５６】
もし、認識しない場合は、無線ＩＣチップ付記録媒体の親展受信通知レポートを再度セットし直す。
【００５７】
無線ＩＣチップ（２０１）を認識したら、無線ＩＤチップに親展受信情報を読み込み（Ｓ５０３）、暗証番号を入力（Ｓ５０４）する。暗証番号の判断（Ｓ５０５）を行い暗証番号が一致した場合のみ、親展情報の中身を印刷（Ｓ５０７）する。
【００５８】
但し、暗証番号が所定回数（Ｎ回）一致しない場合（Ｓ５０６）は、不正の為印刷を禁止し送信元（Ｓ５０８）へ、その旨を通知する。
【００５９】
印刷または、不正の為印刷を禁止した場合は、データを削除（Ｓ５０９）し、終了する。
【００６０】
第２の実施例では、無線ＩＤチップへの親展受信情報書込みを、親展受信通知レポート出力後に無線ＩＤチップへの書き込みを行う場合を、図６の受信時のフローチャートを用い説明する。
【００６１】
前記実施例と同様に親展受信の有無の検出（Ｓ３０１）を設け、親展受信場合は、無線ＩＤチップ付の記録媒体を選択（Ｓ３０３）する。
【００６２】
一方、親展受信でない場合は、無線ＩＤチップなしの記録媒体（Ｓ３０２）で印刷する。
【００６３】
親展受信の受信終了の検出（Ｓ３０４）を設け、受信終了をモニターし、受信が正常終了した場合のみ、次のステップに進む。もし、正常終了でない場合は、エラーレポート（Ｓ３０５）を出力し終了する。
【００６４】
受信が正常終了した場合は、表示部および記録媒体表面へ受信日時と親展宛先と親展受信した旨を親展受信通知レポート（Ｓ３０７）に印刷する。
【００６５】
次に無線ＩＤチップに前記親展受信情報を書き込む（Ｓ３０６）。前記無線ＩＤチップへの書き込みが正常に終了した時点で終了する（Ｓ３０８）。
【図面の簡単な説明】
【００６６】
【図１】本発明の一実施例による無線ＩＤチップのリードライト機能付画像記録装置の内部構成を示すブロック図である。
【図２】本発明の一実施例による親展受信時の無線ＩＤチップへの書き込みイメージ平面図である。
【図３】前記実施例による受信時のフローチャートである。
【図４】前記実施例による親展受信受信時の取り出し時のイメージ平面図である。
【図５】前記実施例による親展受信受信時の取り出し時のフローチャートである。
【図６】第２の実施例による受信時のフローチャートである（無線ＩＤチップへの親展受信情報書込みを、親展受信通知レポート出力後に書き込む場合の実施例）。
【符号の説明】
【００６７】
１００  記録装置
１０１  無線部（無線ＩＣのリードライト）
１０２  画像読取部
１０３  原稿検知センサ
１０４  印刷記録部
１０５  表示部
１０６  制御部（ＣＰＵ）
１０７  通信部
１０８  操作部
１０９  ＲＯＭ
１１０  ＲＡＭ
１１１  記憶部
１１２  ネットワーク（回線網／ＬＡＮ）
２０１  無線ＩＣチップ
２０２  カバーページ情報
２０３  記録媒体
２０４  記録媒体給紙トレー
２０５  記録媒体排紙トレー
２０６  記録媒体格納カセット
２０７  原稿検知センサ
【図１】
2006187986.tif 000003
【図２】
2006187986.tif 000004
【図３】
2006187986.tif 000005
【図４】
2006187986.tif 000006
【図５】
2006187986.tif 000007
【図６】
2006187986.tif 000008